(57)【特許請求の範囲】
【請求項１】
便器の上部にユーザーが着座するためのビデシートと、
前記ビデシートを開閉するビデカバーと、
前記ビデシートと向かい合う前記ビデカバーの面に設置され、前記ビデカバーが前記ビデシートを覆うと、前記ビデシートを殺菌する殺菌部と、
前記ビデシート及び前記殺菌部を回転駆動する駆動部と、
前記殺菌部及び前記駆動部を制御する制御部と、を含み、
前記殺菌部は、
前記ビデシートとの距離を測定する距離センサと、
前記距離センサと隣接して配置され、紫外線を照射する光照射部と、を含み、
前記制御部は、前記距離センサによって前記ビデシートと前記殺菌部との距離を測定するように制御し、前記測定された距離に応じて前記ビデシートの殺菌に必要な照射時間を設定し、前記光照射部が前記設定された照射時間の間前記ビデシートに向かって前記紫外線を照射するように制御し、
前記制御部は、前記殺菌部が一方向に既に設定された地点に回転するように前記駆動部を制御し、所定の角度ごとにそれぞれ前記測定された距離に対応する照射時間の間、前記所定の角度に対応する前記ビデシートの領域に向かって前記紫外線を照射する、ことを特徴とするビデシート殺菌機能を有するビデ。
【請求項２】
ユーザーのビデの使用有無を感知する感知部をさらに含む、ことを特徴とする請求項１に記載のビデシート殺菌機能を有するビデ。
【請求項３】
前記制御部は、
前記感知部によって感知されたユーザーのビデの使用有無をもとに、既に設定された期間の間ユーザーの使用パターンを測定して殺菌時間帯を設定し、設定された殺菌時間帯になると、前記ビデカバーが前記ビデシートを覆うようにし、前記殺菌部を動作させる、ことを特徴とする請求項２に記載のビデシート殺菌機能を有するビデ。
【請求項４】
前記制御部は、
前記ビデカバーが前記ビデシートを覆うようにし、前記殺菌部を動作させる、ことを特徴とする請求項１に記載のビデシート殺菌機能を有するビデ。
【請求項５】
前記光照射部は、
２００〜２８０ｎｍの範囲のＵＶ−Ｃを照射するＵＶＬＥＤ（Ｕｌｔｒａ  Ｖｉｏｌｅｔ  Ｌｉｇｈｔ  Ｅｍｉｔｔｉｎｇ  Ｄｉｏｄｅ）を含む、ことを特徴とする請求項１に記載のビデシート殺菌機能を有するビデ。
【発明の詳細な説明】
【技術分野】
【０００１】
本発明は、紫外線発光ダイオード（Ｕｌｔｒａ  Ｖｉｏｌｅｔ  Ｌｉｇｈｔ  Ｅｍｉｔｔｉｎｇ  Ｄｉｏｄｅ、ＵＶＬＥＤ）を用いてビデシートを殺菌する機能を有するビデに関するものである。
【背景技術】
【０００２】
一般に、ビデ（Ｂｉｄｅｔ）は、用便後、トイレットペーパーを使用せずに、ノズルから噴射される洗浄水で用便者の肛門や女性の局部を洗浄した後、肛門や局部の周りに残存する水気を乾燥機から供給される温風で乾燥させる装置であって、最近では、衛生に対する関心が高まり、老若男女誰もが幅広く使用している。
【０００３】
かかるビデは、その使用において、ビデシートとの身体接触が避けられず、身体接触回数が増加するにつれて、ビデシートが汚染される可能性が高まり、定期的な殺菌が必要となる。
【０００４】
そこで、紫外線ランプを追加設置して、ビデシートを殺菌及び消毒する方法が提案されたが、殺菌及び消毒のための紫外線ランプの継続的な光源露出により、消費電力に起因するコストの増加は言うまでもなく、紫外線ランプの寿命が短くなるという問題がある。また、一定の照射時間により、ビデシートとの距離によっては汚染状態が完全になくならないという問題がある。
【発明の概要】
【発明が解決しようとする課題】
【０００５】
したがって、本発明の目的は、ユーザーの使用パターンを測定し、殺菌時間帯を設定するビデシート殺菌機能を有するビデを提供することである。
【０００６】
また、本発明の目的は、ビデシートとの距離を測定し、測定された距離に応じた照射時間を設定して紫外線を照射するビデシート殺菌機能を有するビデを提供することである。
【課題を解決するための手段】
【０００７】
上記課題を解決するために、本発明の一実施例は、ビデシート殺菌機能を有するビデを提供する。
【０００８】
上記ビデシート殺菌機能を有するビデは、便器の上部にユーザーが着座するためのビデシートと、前記ビデシートを開閉するビデカバーと、前記ビデシートと向かい合う前記ビデカバーの面に設置され、前記ビデカバーが前記ビデシートを覆うと、前記ビデシートを殺菌する殺菌部と、前記ビデシート及び前記殺菌部を回転駆動する駆動部と、前記殺菌部及び前記駆動部を制御する制御部と、を含み、前記殺菌部は、前記ビデシートとの距離を測定する距離センサと、前記距離センサと隣接して配置され、紫外線を照射する光照射部と、を含み、前記制御部は、前記距離センサによって前記ビデシートと前記殺菌部との距離を測定するように制御し、前記測定された距離に応じて前記ビデシートの殺菌に必要な照射時間を設定し、前記光照射部が前記設定された照射時間の間前記ビデシートに向かって前記紫外線を照射するように制御し、前記制御部は、前記殺菌部が一方向に既に設定された地点に回転するように前記駆動部を制御し、所定の角度ごとにそれぞれ前記測定された距離に対応する照射時間の間、前記所定の角度に対応する前記ビデシートの領域に向かって前記紫外線を照射することができる。
【０００９】
なお、上記した課題の解決手段は、本発明の特徴を列挙したものではない。本発明の様々な特徴とそれに伴う利点及び効果は、以下の具体的な実施形態を参照して、より詳細に理解することができる。
【発明の効果】
【００１０】
本発明は、ユーザーの使用パターンを測定することで、ビデの未使用時間帯に自動殺菌動作を定期的に行うことができる。
【００１１】
また、本発明は、ビデシートとの距離を測定し、測定された距離に応じた殺菌時間を設定することにより、殺菌効果を増大させることができる。
【図面の簡単な説明】
【００１２】
【図１】本発明の一実施例によるビデシート殺菌機能を有するビデの正面図である。
【図２】本発明の一実施例によるビデシート殺菌機能を有するビデの側面図である。
【図３】本発明の一実施例によるビデシート殺菌機能を有するビデの構成図である。
【図４】図３の制御部のフローチャートである。
【発明を実施するための形態】
【００１３】
以下、添付された図面を参照して、本発明が属する技術分野で通常の知識を有する者が本発明を容易に実施することができるように好ましい実施例を詳細に説明する。但し、本発明の好ましい実施例を詳細に説明するにあたり、関連した公知の機能または構成に関する具体的な説明が本発明の要旨を不要に曖昧にする可能性があると判断される場合には、その詳細な説明を省略する。また、同様の機能及び作用をする部分に対しては、図面全体にわたって同一の符号を使用する。
【００１４】
なお、明細書全体において、ある部分が他の部分と「連結」されるとするとき、これは「直接的に連結」される場合だけでなく、その中間に他の要素を間に挟んで「間接的に連結」される場合も含む。また、ある構成要素を「含む」というのは、特に反対される記載がない限り、他の構成要素を除外するのではなく、他の構成要素をさらに含むことができるということを意味する。
【００１５】
図１は本発明の一実施例によるビデシート殺菌機能を有するビデの正面図であり、図２は本発明の一実施例によるビデシート殺菌機能を有するビデの側面図であり、図３は本発明の一実施例によるビデシート殺菌機能を有するビデの構成図である。
【００１６】
図１〜図３を参照すると、本発明の一実施例によるビデシート殺菌機能を有するビデは、ビデシート１００、ビデカバー１１０、殺菌部２００、駆動部３００、制御部４００、及び感知部５００を含むことができる。
【００１７】
ビデシート１００は、便座の上部に配置されることができ、ユーザーが着座することができる。
【００１８】
ビデカバー１１０は、ビデシート１００の一側に回転可能に連結されることができ、ビデシート１００を開閉することができる。
【００１９】
殺菌部２００は、ビデシート１００と向かい合うビデカバー１１０の面に設置されることができ、ビデカバー１１０がビデシート１００を覆うと、ビデシート１００を殺菌することができる。
【００２０】
殺菌部２００は一方向に回転することができる。
【００２１】
本発明の一実施例によると、殺菌部２００は、ビデシート１００との距離を測定する距離センサ２１０、及びビデシート１００に向かって紫外線を照射する光照射部２２０を含むことができる。
【００２２】
距離センサ２１０及び光照射部２２０は互いに付着されて殺菌部２００に設置することができる。
【００２３】
本発明の一実施例によると、光照射部２２０は、２００〜２８０ｎｍの範囲のＵＶ−Ｃを照射する紫外線発光ダイオード（Ｕｌｔｒａ  Ｖｉｏｌｅｔ  Ｌｉｇｈｔ  Ｅｍｉｔｔｉｎｇ  Ｄｉｏｄｅ、ＵＶＬＥＤ）を含むことができる。
【００２４】
駆動部３００は、ビデシート１００及び殺菌部２００を駆動することができる。
【００２５】
駆動部３００は、ビデシート１００を開閉するための駆動モータ、及び殺菌部２００を回転させるためのダンパーを含むことができ、ビデシート１００の一側に設置することができる。
【００２６】
感知部５００は、ユーザーのビデの使用有無を感知することができる。
【００２７】
感知部５００は、ビデシート１００の下部面に設置されることができ、ビデシート１００に一定の圧力が作用しているか否かの判断を用いることで、ユーザーのビデの使用有無を感知することができる。感知部５００は、スイッチや圧力センサなどを含むことができる。
【００２８】
制御部４００は、殺菌部２００及び駆動部３００を制御することができる。
【００２９】
具体的には、制御部４００は、ビデカバー１１０がビデシート１００を覆うようにすることができ、ビデシート１００を殺菌することができる。
【００３０】
本発明の一実施例によると、制御部４００は、感知部５００によって感知されたユーザーのビデの使用有無をもとに、既に設定された期間中のユーザーの使用パターンを分析し、殺菌時間帯を設定することができる。また、設定された殺菌時間帯になると、制御部４００は、ビデカバー１１０がビデシート１００を覆うようにすることができ、殺菌部２００を動作させることができる。ここで、既に設定された期間は、日、週、月などの単位で設定することができる。
【００３１】
本発明の他の実施例によると、制御部４００は、殺菌部２００を一方向に既に設定された地点に回転させることができ、ビデシート１００との距離を測定し、測定された距離に応じた照射時間を設定して、設定された照射時間の間ビデシート１００に向かって紫外線を照射することで、ビデシート１００を殺菌することができる。
【００３２】
制御部４００は、少なくとも一つのプロセッシングユニット及びメモリを含むことができる。ここで、プロセッシングユニットは、例えば、中央処理装置（ＣＰＵ）、グラフィック処理ユニット（ＧＰＵ）、マイクロプロセッサ、注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、ＦＰＧＡ（Ｆｉｅｌｄ  Ｐｒｏｇｒａｍｍａｂｌｅ  Ｇａｔｅ  Ａｒｒａｙｓ）などを含むことができ、複数のコアを有することができる。メモリは、揮発性メモリ、不揮発性メモリ、またはこれらの組み合わせであることができる。
【００３３】
以下、かかる制御部４００の制御動作について、図４を参照して、詳細に説明する。
【００３４】
図４は図３の制御部４００のフローチャートである。
【００３５】
図４を参照すると、まず、制御部４００は、殺菌時間帯を設定することができる（Ｓ２０１）。具体的には、殺菌時間帯は、ユーザーの使用パターンを分析し、ユーザーがビデを使用しない時間に設定することができる。
【００３６】
次に、殺菌時間帯になると、ビデカバー１１０が閉じているか否かを判断し（Ｓ２０２）、ビデカバー１１０が開いている場合には、ダンパーを使用することで、ビデカバー１１０を閉じることができる（Ｓ２０３）。
【００３７】
制御部４００は、殺菌部２００を一方向に回転させることで、距離センサ２１０及び光照射部２２０をもとに、既に設定された地点に移動させることができる（Ｓ２０４）。
【００３８】
具体的には、光照射部２２０の照射角度は５５°〜１２０°、各地点は３０°〜６０°間隔で設定することができる。
【００３９】
制御部４００は、距離センサ２１０を用いることで、ビデシート１００との距離を測定し、距離に応じた照射時間を設定することができ（Ｓ２０５）、設定された照射時間の間、紫外線を照射することができる（Ｓ２０６）。
【００４０】
具体的には、下記表１に基づいて、９９％以上の殺菌となるように距離に応じて照射時間を設定することができる。
【００４１】
【表１】
0006901585.tif 000002
【００４２】
次に、制御部４００は、既に設定された地点を完全に通過するまで、Ｓ２０４からＳ２０６のプロセスを繰り返し、既に設定された地点を完全に通過すると、殺菌動作を完了することができる（Ｓ２０７）。
【００４３】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【図１】
0006901585.tif 000003
【図２】
0006901585.tif 000004
【図３】
0006901585.tif 000005
【図４】
0006901585.tif 000006